(57)【特許請求の範囲】
【請求項１】
先軸と中軸の先方を互いに回転不能且つ抜け止め状態に固定し、中軸に一体化したガイド部の複数の案内溝に、夫々筆記体をガイド部と摺動コマとの間にリターンスプリングを附勢して前後動自在に嵌装し、軸方向に変位するカム斜面を前端部に円周状に設けた円筒カムを中軸に対し回転可能に設け、各摺動コマをカム斜面に当接させることにより先軸又は中軸に対する円筒カムの回転によって交互に前後動させて、各筆記体の先端を先軸の先端口から選択的に出没可能とし、上記円筒カムの後方に後軸が中軸に対し回転可能に設けられてなる複式筆記具に於いて、
上記筆記体の少なくとも一本をボールペン筆記体とし、そのボールペン筆記体は、継ぎ手の先端にボールペンのチップと継ぎ手の後端にインキ収容管が固定されると共に継ぎ手とインキ収容管との間に肉薄、細径でフレキシブルなチューブが接続されてなり、上記チップは、先端ボールがチップ先端のボール抱持部の内縁に常時には押圧して密接し、筆記時には密接状態が解除されるように設けられたスプリングを有し、インキ収容管内には筆記に伴う先端ボールの回転で粘性が低下して流出される、所謂剪断減粘性を有した水性ボールペンインキ又は低粘度の油性インキが充填され、更にインキの後端に筆記に伴うインキの消耗に追随して移動するグリース状の半透明不乾性物から成るフォロアが充填されてなることを特徴とする複式筆記具。
【発明の詳細な説明】
【０００１】
【産業上の利用分野】
本発明は、複数の筆記体の先端を先軸先端口に於いて交互に出没自在とした複式筆記具の提供に関する。
【０００２】
【従来の技術】
従来、複式筆記具の一例としては、同出願人による実開昭６４ー３４９１号公報に見られるように、２本の筆記体を案内する摺動溝を有して先軸に対し固着されるガイド筒と、当該ガイド筒に嵌装される二本の筆記体に取付けられた摺動コマに接するカム斜面を前端部に有すると共に、後端はノック部となしてキャップに対し軸方向に移動自在に、且つ円周方向の回転は一体となるよう装着された円筒カムを備え、先軸に対するキャップの回転操作により二本の筆記体を先軸先端口に於いて選択的に出没可能とした複式筆記具が存在する。又、本願の従来例として、同出願人による実開昭６０ー１２０８８９号公報に見られるように、キャップ後端から突出した天冠を回転させて消しゴムを出没させるようにした複式筆記具が存在する。
【０００３】
一方、従来知られている油性ボールペンは、それに使用するインキが粘度が数千ｍＰａ・Ｓ以上の高粘度の為に、ペン先からインキが流出する際にボールが回転する時の抵抗が大きいため書き味が悪い欠点がある。又、筆記の際に先端から流出するインキ量は少なく、ボテ現象があり、筆記描線のムラがあり筆跡濃度が薄いこと、高い筆記圧が必要なことなどの問題がある。
この油性ボールペンの改良として、最近、上記の水性と油性との中間粘度領域（数ｍＰａ・Ｓ〜数千ｍＰａ・Ｓ）のインキを用いる中粘度と呼ばれる水性インキ用ボールペンが開発されている。このものは、先端ボールの回転によって粘度が低下してインキがスムーズに流出する特性、所謂剪断減粘性を有する相対的に低粘性の水性のインキを用いたボールペンである。しかしながら、このものはインキが乾燥しやすい欠点があるために通常は筆記先端部をシールするキャップが必要である。又、インキの流出量が多くなり、筆記寿命を延ばすためにインキ収容管の径を太くしてインキの充填量を多くする必要がある。
【０００４】
又、上記油性ボールペンの改良として、耐乾燥性に優れた低粘度の油性インキを用いたボールペンが考えられるが、やはりインキの流出量が多くなり、筆記寿命を延ばすためにインキ収容管の径を太くしてインキの充填量を多くする必要がある。又、インキの粘度が低いために、チップ側を下向きにした場合に先端ボールとチップ抱持部の隙間が生じるとインキが滲みでる（直流）が生じたり、筆記時にインキの流出量が多くなる欠点がある。
【０００５】
上記、中粘度の水性インキ、低粘度の油性インキの何れも低粘性であることからインキが逆流や直流しやすい現象がある。インキが逆流や直流を起こすと衣類などを汚す危険がある。又、落下やノック衝撃で筆記掠れが生じやすい欠点がある。
又、そのようなボールペン筆記体の筆記先端部を先軸先端口から突出したまま胸ポケット等に差すとインキが吸出されて服を汚す危険性がある。
【０００６】
又、中粘度の水性ボールペンは、通常インキ収容管後端に、フォロアと称されるグリース状の半透明不乾性物質が充填されるので、インキ蒸発防止の問題はペン先、即ちボールとホルダーの間隙からの蒸発低減化を考えればよい。例えば、油性ボールペンのように蒸気圧がかなり低い溶剤を主として用いれば、インキの蒸発は考慮しないですむ。しかし、水性インキの場合は水が主溶剤なので、低蒸気圧溶剤を選択しただけでは、水の蒸発を防げない。
又、中粘度の水性、低粘度の油性ボールペンはインキ収容管が太くなるために通常の太さの複式筆記具に搭載した場合、筆記体間の自由度がなく突出する筆記体の先端部が軸筒の先端孔にスムーズに求心されず、作動が阻害されて筆記先端部の出没が不可となる。従って、作動を可能とするために軸筒が極端に太くなって、携帯性、使い勝手が悪くなる欠点がある。
【０００７】
又、インキ溶媒中のゴム成分の溶解度差を利用し、インキ収容管内でゲル状、筆記に伴う先端ボールの回転でゾル化、描線状態でゲル化し、紙にしみ込まないことから消しゴムで消せるインキが知られている。
【０００８】
【発明が解決しようとする課題】
本発明は、中粘度の水性、低粘度の油性インキを充填したボールペン筆記体を搭載可能とし、ペン先の耐乾燥性が維持されてキャップを外して放置することができ、落下衝撃、上向き筆記によるインキの逆流やインキの直流を防止可能とし、筆記先端部を先軸先端口から突出した時に作動が阻害されて筆記先端部の出没が不可となる問題を解消するために軸筒が極端に太くなって、携帯性、使い勝手が悪くなる欠点を解消する。
【０００９】
【課題を解決するための手段】
上記の課題を解決する為に本発明の複式筆記具は、先軸と中軸の先方を互いに回転不能且つ抜け止め状態に固定し、中軸に一体化したガイド部の複数の案内溝に、夫々筆記体をガイド部と摺動コマとの間にリターンスプリングを附勢して前後動自在に嵌装し、軸方向に変位するカム斜面を前端部に円周状に設けた円筒カムを中軸に対し回転可能に設け、各摺動コマをカム斜面に当接させることにより先軸又は中軸に対する円筒カムの回転によって交互に前後動させて、各筆記体の先端を先軸の先端口から選択的に出没可能とし、上記円筒カムの後方に後軸が中軸に対し回転可能に設けられてなる複式筆記具に於いて、上記筆記体の少なくとも一本をボールペン筆記体とし、そのボールペン筆記体は、継ぎ手の先端にボールペンのチップと継ぎ手の後端にインキ収容管が固定されると共に継ぎ手とインキ収容管との間に肉薄、細径でフレキシブルなチューブが接続されてなり、上記チップは、先端ボールがチップ先端のボール抱持部の内縁に常時には押圧して密接し、筆記時には密接状態が解除されるように設けられたスプリングを有し、インキ収容管内には筆記に伴う先端ボールの回転で粘性が低下して流出される、所謂剪断減粘性を有した水性ボールペンインキ又は低粘度の油性インキが充填され、更にインキの後端に筆記に伴うインキの消耗に追随して移動するグリース状の半透明不乾性物から成るフォロアが充填されてなる。
【００１０】
又、先端ボールを抱持するチップと後方にインク収容管を有し、インキ収容管のインキ収容部は比較的大きな断面積を有した非変形のものであって、前記チップとインキ収容部を接続する部位が軸長方向に対してフレキシブルな部位で形成されて成るボールペン筆記体を少なくとも１本含む複数の筆記体を搭載して、軸先から選択的に夫々の筆記体の先端部を出没可能とする。
従って、作動が阻害されて筆記先端部の出没が不可となることも無く、軸筒が極端に太くなって、携帯性、使い勝手が悪くなる問題が解決される。
【００１１】
又、ボールペン筆記体は、インク収容管内に筆記に伴う先端ボールの回転で粘性が低下して流出される、所謂剪断減粘性を有した水性ボールペンインキ又は低粘度の油性インキが充填され、前記インキの後端に筆記に伴うインキの消耗に追随して移動するグリース状の半透明不乾性物から成るフォロアが充填されて成ることを特徴とする。
【００１２】
又、ボールペン筆記体は、先端ボールがチップ先端のボール抱持部の内縁に常時には押圧して密接し、筆記時には密接状態が解除されるように設けられたスプリングを有することから成り、必要に応じてチップ後端に対接してボール弁が遊嵌された弁室が設けられ、該弁室後部にボール弁が密接してインキの逆流を防ぐボール受け座及び該ボール受け座からインキ収容管に通ずる導孔が設けられて成り、インキの直流、逆流、乾燥に伴う筆記掠れを防止可能とする。
【００１３】
【実施例】
先ず、図１は本発明の複式筆記具の第１の実施例を示している。又、図２は複式筆記具の第２の実施例を示している。図３は実施例である複式筆記具の円筒カムと中軸との回転規制部を説明した図である。
図４は実施例の複式筆記具に搭載されるボールペン筆記体の縦断面図である。  図５はボールペン筆記体を搭載した状態の先軸部内の状態を示す要部断面図である。
以上に示す、複式筆記具の実施例はシャープペンシル筆記体７と通常の油性ボールペン筆記体８を搭載したものを示している。又、前部に筆記具機能を備え、後部に消しゴム繰り出し機構を備えている。
本発明の意図する複式筆記具は、以上に限らず所謂剪断減粘性を有した水性、又は低粘度の油性ボールペンインキ或いは消しゴムで消せるボールペンインキが充填されたボールペン筆記体を搭載可能として、用途の必要性に応じて他の筆記体と組み合わせて構成される。又、消しゴム繰り出し機構は、組み合わせる筆記体の種類、必要度に応じて敷設されるものである。又、３本の筆記体を搭載するように構成することも可能である。
【００１４】
図１に示すように、第１の実施例である複式筆記具は、ガイド筒２を一体に備えた中軸１、先軸３、円筒カム５、一対の摺動コマ６、６｀、シャープペンシル筆記体７、ボールペン筆記体８、後軸４、内筒３４、消しゴムホルダー４０、消しゴム４５を主な構成要素とする。先ず、中軸１は樹脂製で、略中央部から後端まで側面に開口した軸方向に長い案内溝９とそれと反対側の側面に同様の案内溝９｀を有したガイド筒２が設けられている。ガイド筒２の前半部には各案内溝９、９｀と連通して孔３２、３２｀を有した仕切り部１６を備えて前端を開口した筒部１０が設けられ、筒部１０の後端に段部３１を有して段部３１の前方外周部には膨出状の係合部１３が形成されている。尚、ガイド筒は中軸と別体に設けることも、又、中軸１の内周に一体にリブ又は仕切り部等を形成して摺動コマを案内するガイド部と成すことも可能である。
【００１５】
又、中軸１の後方側面には図３に示すように切り窓１８が形成されて回転規制部１９が構成される。切り窓１８内に円筒カム５の突起１７が位置され、突起１７が切り窓１８の一方の周壁５０に当接する位置から他方の周壁５１に当接する範囲で円筒カム５は中軸１に対し回転する。
後述するが、円筒カム５が回転してシャープペンシル筆記体７又はボールペン筆記体８の筆記先端部が先軸先端口から交互に出没することになる。
又、前記突起１７が周壁５０に当接する位置でシャープペンシル筆記体７が突出状態となり、その位置の切り窓１８の前端が前壁５２となる。その時、突起１７の前端と前壁５２との間にはシャープペンシルの芯を繰り出す為に円筒カム５が前進する適宜間隔が設けられる。又、突起１７が周壁５１に当接する位置でボールペン筆記体８が突出状態となり、筆記体の没入時及びボールペン筆記体８の突出時に於ける突起１７の位置する切り窓１８の前端が前記前壁５２に対し適宜後方寄りの前壁５３と成っている。その時、突起１７の前端と前壁５３は略当接状態となり、円筒カム５は前進が阻止される。
【００１６】
先軸３は、前方が先細状で、内孔部先端には内段部２７を有して先端口が設けられている。又、後端孔には、前記ガイド筒の筒部１０の外周部に設けられた係合部１３と迎合して筒部１０と抜け止め且つ回転止めされる係合溝１２が設けられている。尚、筒部１０と先軸３は適宜な力で着脱可能に固定される。（実開昭６４ー３４９１号公報の先軸の構成と同じ）尚、先軸３と中軸１の接合は螺子接合であってもよい。
【００１７】
円筒カム５は筒状を成し、前端縁に円周状に前後に変位するカム斜面１４を有し、カム斜面１４の最前端部には切欠１５が形成されている。又、円筒カム５の側面には上記中軸１の回転規制部１９に位置して円筒カムを一定範囲（略１８０度）で回転可能とする突起１７が形成されている。又、突起１７と同軸線上で後方に係止突起２１が形成され、更に後方に延設した筒部２０を有し、筒部２０の内孔には螺旋溝３３が形成されている。
尚、前記係止突起２１は後述する後軸４への取付けを容易とする為に、必要によって周辺に切り込みを入れて内方へ弾性変形可能と成される。
【００１８】
又、摺動コマ６は、外面に突起２２を有して、突起２２の後端面には中央部が突出してその両側が前述した円筒カム５のカム斜面１４と略同勾配のカム斜面を有している。又、芯パイプ２３のフランジ部２４に当接して、芯パイプ２３の後方を長く突出して嵌着する孔が設けられている。又、摺動コマ６｀は摺動コマ６と同様に突起２２｀とカム斜面を有し、先端にはボールペン等筆記体８の後端を止着する係止部２６が設けられている。尚、係止部はパイプ状に成して筆記体の後端を嵌着することも可能である。
【００１９】
シャープペンシル筆記体７は、一般的なチャック機構を内蔵し、後端にチャック機構と連結した継手２９を介して芯パイプ２３に接合し、芯パイプ２３の後方に設けたフランジ部２４に当接して摺動コマ６が嵌着され、摺動コマ６の後端から突出した芯パイプ２３の後端孔は尾栓２５等で閉塞されている。芯の繰り出しは、シャープペンシル筆記体７の先端の段部２８が先軸３の内段部２７に当接した状態で、摺動コマ６の軸推移によりチャックを移動して行われる。
【００２０】
ところで、前記中軸１で、回転規制部１９の適宜前方の側面に円周状の鍔部１ａが形成され、鍔部１ａの後方近傍に突状の係止部１ｂが形成されている。又、後軸４の前端内孔に円周溝状の係止部４ｂが形成されている。又、外周部側面にクリップ４６が一体に形成されている。（無論、別体で固着して設けてもよい）又、クリップ４６の内側に対応する後軸側面に軸方向に長い窓部４ａが穿設されて、クリップ先端の玉部４７には係止部となる孔部４８が穿設されている。後軸４は前記筒部２０を被覆する状態で嵌装され、上記円筒カム５の係止突起２１が前記窓部４ａに弾性的に嵌入し、前記係止部４ｂが前記係止部１ｂに弾性的に係合する。以上で、中軸１に対し後軸４は回転のみ可能に止着されると共に、円筒カム５は後軸４に対し前後動のみ可能に回転止めされる。
【００２１】
又、内筒３４は樹脂製の筒状体で、後端に鍔状の天冠３５を有し、前方に底部３７とその先端に係止部３８を有している。又、天冠３５と底部３７を繋ぐ筒部の側面には対向する一対のスリット３６が穿設されている。内筒内には後端に消しゴム４５を止着した消しゴムホルダー４０が装着される。消しゴムホルダー４０は後方に消しゴム４５を挟着する一対の弾性片４３が形成され、弾性片４３の内面には係止突起４４を有している。又、前方の筒部４１の外周には突起４２が形成されている。消しゴムホルダー４０は突起４２と弾性片４３を内筒部のスリット３６に嵌装し、突起４２が更に螺旋溝３３に嵌入した状態で内筒３４に配設されている。
【００２２】
以上で、内筒３４は消しゴムホルダーの突起４２を筒部２０の螺旋溝３３に係合するように適宜回転しながら前記円筒カムの筒部２０に嵌装して、天冠３５が筒部２０の後端に当接すると共に、筒部２０の内孔前方に設けた段部３９に内筒の係止部３８が係止して内筒３４は筒部２０に対し回転のみ可能に抜け止めされる。以上で、後軸４に対し天冠３５を回転すると消しゴムホルダー４０が前後動して消しゴム４５が天冠の後端孔３５ａから出没可能となる。
【００２３】
次に、組立順序で説明すると、シャープペンシル筆記体７、ボールペン筆記体８は後端に夫々の摺動コマ６、６｀を接続させて、前述の中軸のガイド筒２の各案内溝９、９｀に移動自在に嵌装され、各摺動コマ６、６｀の前端面と案内溝９、９｀前面の仕切り部１６との間に介装したリターンスプリング３０、３０｀により後方へ附勢される。続いて円筒カム５を中軸１の後端孔に挿入して突起１７を回転規制部１９に位置させ、円筒カムの外側に後軸４を嵌装して上記係止突起２１を窓部４ａに貫出させると共に係止部４ｂを係止部１ｂに係合させて後軸４を中軸１に回転のみ可能に止着する。以上で、円筒カム５は中軸１に対して円周方向に略１８０度で回転可能に位置される。
【００２４】
又、上記係止突起２１を上記クリップ玉部４７の孔部４８の後端に係止させ、シャープペンシル筆記体７が突出した状態で、円筒カム５は中軸１に対して芯繰り出しに必要なストローク分前後動可能と成され、筆記体の収納時又はボールペン筆記体８の突出した状態で前後動不可と成される。各摺動コマ６、６｀は常時リターンスプリング３０、３０｀によって後方へ附勢されているので、常にその突起２２、２２｀のカム斜面を円筒カム５のカム斜面１４に接触した状態を保っている。
【００２５】
又、中軸１の段部３１の前面に先軸３の後端面が当接状態で、筒部１０の係合部１３が先軸３の係合溝１２に弾性的に嵌着して、先軸３と中軸１が回転止め且つ抜け止め状態に固定される。尚、先軸３は適宜な力で着脱可能になっている。この状態で、先軸３又は中軸１に対して後軸４を一方に回転すると、摺動コマ６が前進して円筒カム５のカム斜面１４の最前端の切欠１５がシャープペンシル筆記体７の摺動コマ６の突起２２に係止して筆記先端部が先軸先端口から突出状態になる。又、先軸３又は中軸１に対して円筒カム５を他方に回転すると、摺動コマ６が後退してシャープペンシル筆記体７の筆記先端部が先軸先端口から没入すると共に、摺動コマ６｀が前進して他方のボールペン筆記体８の筆記先端部が先軸先端口から突出する。
【００２６】
一方、消しゴム４５を止着した消しゴムホルダー４０を内筒３４内に嵌装した状態で円筒カムの筒部２０の後端から回転を加えながら挿入して、天冠３５の前端を筒部２０の後端に当接させた状態で筒部２０に対し回転方向のみ可能に止着する。以上により、後軸４に対し天冠３５を左右に回転すると天冠の後端孔３５ａから消しゴム４５が出没する。
【００２７】
又、図２は本発明の第２の実施例を示しており、基本的には第１の実施例と同じである。以下、相違点のみ概説する。
先ず、内筒６５前方の筒部内孔に螺旋溝６６が形成されている。
又、軸部６１の後端近傍に係止部６２が形成され、更に後方にスリット６３が形成された筒部が延設されている。
又、前記内筒６５はスリットを有した円筒カムの筒部に被嵌されて円筒カムの係止部６２に回転方向のみ可能に係止する係止部６８が設けられ、内筒６５後端の天冠６７が後軸６４の後端から突出状態と成されている。
以上により、後軸６４に対し天冠６７を左右に回転すると消しゴムは後端孔から出没可能となる。
【００２８】
次に、本発明の複式筆記具に搭載されるボールペン筆記体７０ａに付いて説明する。尚、ボールペン筆記体７０ａと図５に示すボールペン筆記体７０ｂは同じ構成であり、例えば、インキ色などが異なるものである。
又、ボールペン筆記体に適用されるインキは所謂剪断減粘性を有した水性、低粘度の油性インキ又はインキ溶媒中に架橋物質を加えて、筆記に伴う先端ボールの回転でゾル化、描線状態でゲル化し、紙にしみ込まないことから消しゴムで消せるインキである。
【００２９】
図４に示すようにチップ８０は、インキ流入可能なチャンネルを有した座に先端ボール８１が略当接した状態で、先端ボール８１が回転自在に抱持されるようカシメられている。又、チップ８０の内孔部にスプリング８３が内挿され、スプリング８３の後端が抜出不能となるようにチップの軸部８２の後端を適宜カシメている。又、先端ボール８１がチップ抱持部の内面に密接することは筆記先端の乾燥、インキの直流防止に対し極めて重要であって、そのために先端ボールを抱持するチップ内面の表面粗さ、カシメによる密接精度を改善する為に内面の研削仕上げ、カシメ精度を上げる為の二次的な塑性加工が配慮される。又、先端ボールとの密接面に表面処理などが配慮される。
【００３０】
又、スプリング８３の先方は直立状の棒軸部８４となり、当該棒軸部８４の先端が先端ボール８１の後端に押圧状態で当接する。尚、先端ボール８１はその押圧によってチップ８０のボール抱持部（カシメなどで形成）の内縁に密接状態となる。
【００３１】
又、継ぎ手７１は先端にチップ８０の軸部８２を圧着する前軸部７２とインキ収容管８６の前端に圧着される後軸部７４が形成され、前記前軸部７２と後軸部７４との間がフレキシブルな、例えば蛇腹７３などで一体に接続された樹脂成形品で形成される。又、前軸部７２の内孔部後方にはボール弁８５が遊嵌している弁室７６があり、弁室７６の後方にはテーパー状又は球面状のボール受け座７７と軸心に適宜偏心して設けられた導孔７８とが設けられ、前記蛇腹７３、後軸部７４の内孔がインキ収容管８６の内孔に連通している。又、弁室７６の内壁の一側には軸方向にインキが流れるように溝部を設けている。（図示せず）この弁室７６内の遊嵌しているボール弁８５は、チップ８０を下向きにした状態では、チップの軸部８２の後端に偏った状態に接してインキ流路を形成し、インキ収容管のインキは導孔７８を通り前記溝部、前記インキ流路などを通じてチップ内孔部に流入する。逆に上向きの状態ではボール弁８５がボール受け座７７に当接してインキの逆流を防止する機能が得られる。
【００３２】
又、インキ収容管８６内には上記ボールペンのインキ８７が充填され、更に、このインキ８７の後端にインキの消耗と共にインキ面に接触して追随して移動可能なグリース状の半透明不乾性物から成るフォロア８８が充填される。又、落下やノック衝撃等による変形を防止するために必要に応じてフォロア８８内にフォロアと略同等の比重を有する樹脂製のフォロア棒８９が浸漬される。
尚、上記インキ収容管８６は一例として透明ＰＰ樹脂成形品等が使用される。又、インキ収容管をクリアドレン性に優れた材質で選定する。又、インキ収容管８６は継ぎ手７１と一体に形成されてもよい。
【００３３】
又、インキ収容管８６のインキ収容部は比較的大きな断面積を有した非変形のものであって、例えば、中軸１内に無駄なく嵌挿する略Ｄ形の断面形状を有して形成される。尚、上記チップ８０とインキ収容部を接続する部位が軸長方向に対して横方向に容易に変移可能と成される。
又、チップ８０後端を圧着する継ぎ手とインキ収容管との間に肉薄、細径でフレキシブルなチューブを接続して構成することも可能である。
又、複式筆記具にボールペン筆記体７０ａ，７０ｂを搭載する場合、例えば、摺動コマと連接した連結部９０等を介してボールペン筆記体が接続される。
【００３４】
【作用】
先ず、第１の実施例に於いて、先軸３又は中軸１に対して後軸４を一方に回転すると、図１に示すように円筒カム５のカム斜面１４の先端に設けた切欠１５が一方のシャープペンシル筆記体７の摺動コマ６と係合してその筆記先端部を先軸先端口から突出する。この状態で天冠３５の後端をノックして円筒カム５を軸推移すると、その動作が摺動コマ６、芯パイプ２３、シャープペンシル筆記体７に伝達され、筆記先端部の段部２８が先軸３の内段部２７に当接した状態から継手２９と共にチャックが軸推移して芯が繰り出される。又、先軸３又は中軸１に対して後軸４を他方に回転すると、シャープペンシル筆記体７が後退し、代わりにボールペン筆記体８の筆記先端部が先軸先端口から突出する。
次に、後軸４に対して天冠３５を左右に回転すると、消しゴムホルダー４０が前後動して後端孔３５ａから消しゴム４５が出没する。
又、第２の実施例は第１の実施例と同じであり、その説明は省略する。
【００３５】
ボールペン筆記体７０ａは、チップ８０を上向きにした状態に於いて、そのボール弁８５が弁室７６のボール受け座７７に位置して導孔７８を密閉するので、上向き筆記されてチップの先端ボール８１直下のインキがなくなっても、インキにヘッドが掛かり逆流することがない。従って、チップ８０を下向きにした時にはインキがすぐに流出可能となり、筆記で掠れが防止される。（因みにボール弁を有しない構造では、上向き筆記でインキが逆流方向に作用するのでチップ内に空気を巻き込み、下向き筆記で即インキが追随せず掠れが生じる）
【００３６】
チップ８０を下向きにした筆記状態に於いては、ボール弁８５がチップ８０後端の一方に偏った状態に当接し、他方にはチップ８０内にインキが流入可能な流路が構成され、インキ収容管８６から導孔７８を経て弁室７６に入ったインキ８７は先端ボール８１の後端まで誘導される。
この状態で、棒軸部８４の押圧で先端ボール８１がチップ抱持部の内縁に密接されるのでインキの直流が防止される。又、筆圧により先端ボール８１が微小に後退するので隙間を生じてインキが流出可能となり、筆記により先端ボール８１の回転でインキがスムーズに流出され、ボテが無く、筆跡濃度の高い筆記が可能となる。
【００３７】
先端ボール８１の直下にはチャンネル（チップ内孔に向かって貫通したインキ流入溝を複数箇所に有した先端ボールの受け座）がありチャンネルの中心孔には棒軸部８４が貫通する。チップ内のインキはインキ流入溝および中心孔と棒軸部８４との間の隙間を通じて先端ボール８１直下に誘導される。
【００３８】
【発明の効果】
本発明は、所謂剪断減粘性を有した水性インキ或いは低粘度の油性インキを使用したボールペン筆記体を搭載して、ボテの無い、描線の濃い、筆記掠れの無い、且つ、キャップを不要として筆記先端部を出没可能とし、且つ、インキの直流や上向き筆記及び落下衝撃に対するインキの逆流で軸筒内や手や衣服等を汚す事故がない便利な複式筆記具を携帯性、使い勝手性を満足した軸体の太さで提供可能とする。
【図面の簡単な説明】
【図１】本発明の第１の実施例である複式筆記具の全体を示す縦断面図で、一部非断面で示され
ている。
【図２】本発明の第２の実施例である複式筆記具の全体を示す縦断面図で、一部非断面で示され
ている。
【図３】円筒カムの突起と中軸の回転規制部との係合状態を示す説明図である。
【図４】実施例であるボールペン筆記体の縦断面図である。
【図５】実施例であるボールペン筆記体を搭載した場合の先軸内要部を示す断面図である。
【符号の説明】
１  中軸
１ａ  鍔部
１ｂ  係止部
２  ガイド筒
３  先軸
４  後軸
４ａ  窓部
４ｂ  係止部
５  円筒カム
６  摺動コマ
６｀  摺動コマ
７  シャープペンシル筆記体
８  ボールペン筆記体
９  案内溝
９｀  案内溝
１０  筒部
１１  ノックスプリング
１２  係合溝
１３  係合部
１４  カム斜面
１５  切欠
１６  仕切り部
１７  突起
１８  切り窓
１９  回転規制部
２０  筒部
２１  係止突起
２２  突起
２２｀  突起
２３  芯パイプ
２４  フランジ部
２５  尾栓
２６  係止部
２７  内段部
２８  段部
２９  継ぎ手
３０  リターンスプリング
３０｀  リターンスプリング
３１  段部
３２  孔
３２｀  孔
３３  螺旋溝
３４  内筒
３５  天冠
３５ａ  後端孔
３６  スリット
３７  底部
３８  係止部
３９  段部
４０  消しゴムホルダー
４１  筒部
４２  突起
４３  弾性片
４４  係止突起
４５  消しゴム
５０  周壁
５１  周壁
５２  前壁
５３  前壁
６０  円筒カム
６１  軸部
６２  係止部
６３  スリット
６４  後軸
６５  内筒
６６  螺旋溝
６７  天冠
６８  係止部
７０ａ  ボールペン筆記体
７０ｂ  ボールペン筆記体
７１  継ぎ手
７２  前軸部
７３  蛇腹
７４  後軸部
７５  鍔部
７６  弁室
７７  ボール受け座
７８  導孔
７９  内孔部
８０  チップ
８１  先端ボール
８２  軸部
８３  スプリング
８４  棒軸部
８５  ボール弁
８６  インキ収容管
８７  インキ
８８  フォロア
８９  フォロア棒
９０  連結部
【図１】
0003583321.tif 000002
【図２】
0003583321.tif 000003
【図３】
0003583321.tif 000004
【図４】
0003583321.tif 000005
【図５】
0003583321.tif 000006